(57)【要約】【課題】携帯端末等により振込・振替操作の一部を事前に行い、その操作データを現金自動預払機に送信し、現金自動預払機で振込・振替操作するための手段を、利用者の事前操作データを記憶するための特別なサーバーを立てることなく提供すること。【解決手段】２次元バーコードリーダを備え、携帯端末等の画面に表示される入金・振込・振替など現金自動預払機の操作内容を符号化した２次元バーコードを、前記２次元バーコードリーダを用いて読み取り、入金・振込・振替処理を行う。【選択図】  図１
2004164352.tif 000002
【特許請求の範囲】
【請求項１】
入金・振込・振替など現金自動預払機の操作内容を２次元バーコードで符号化し、携帯端末等の画面に表示される前記２次元バーコードを、２次元バーコードリーダを用いて読み取り、振込・振替処理を行うことを特徴とする現金自動預払機。
【請求項２】
入金・振込・振替など現金自動預払機の操作内容を、複数個の２次元バーコードで表現し、携帯端末等の画面に連続表示される２次元バーコードを読み取ることで、操作内容を受信することを特徴とする請求項１記載の現金自動預払機。
【請求項３】
提示した携帯端末の映り具合を画面に表示し、操作者が視覚的に携帯端末の位置を修正する事を特徴とした請求項１記載の現金自動預払機。
【発明の詳細な説明】
【０００１】
【発明の属する技術分野】
本発明は、現金自動預払機の操作性を向上する手段に関する分野に属する。
【０００２】
【従来の技術】
現金自動預払機で振込・振替操作を行なう場合、取引内容の選択、振込先の入力、振込金額の入力、暗証番号の入力、というように一つ一つ手順を踏む必要がある。特に、振込先の入力は、金融機関名・支店名・科目・口座番号を手入力する必要があり時間がかかっていた。その結果、振込・振替取引が集中する月末は、現金自動預払機の前に利用者の待ち行列が出来ていた。
【０００３】
振込操作を省略する手法として、従来よく用いられているものに振込券がある。振込券には振込先の金融機関、口座番号などが記録されており、利用者は、初回操作時に振込券を発行することで、次回操作の際に振込先を手入力することなく振込操作ができる。振込券は、一度振込先を入力すると、次回から入力しなくても良いため、特定の振込先に何度も入金する場合には向いているが、１回限りの振り込みには適用できない。
【０００４】
別の手段として、携帯電話と自動預払機を電話回線で接続し、現金自動預払機の操作を途中まで進める方法が特許文献１で提案されている。この方法は、携帯電話から現金自動預払機の事前操作が可能となるが、操作内容をどこのＡＴＭへ転送するかは、利用者側で電話番号を調べなければならないというデメリットがある。
【０００５】
同様のシステムとして、特許文献２に公開されているような、携帯端末とサーバを電話回線などの通信手段で接続し、携帯端末の操作情報をサーバに記憶しておき、現金自動預払機にＩＤカードを挿入した際に現金自動預払機からサーバに接続し、操作情報が有れば、サーバーに記憶させた操作情報を使って取引を進行させる方法がある。この手法を用いれば利用者側で現金自動預払機の電話番号を調べる必要がない。しかし利用者の操作情報を記憶するためのサーバーが必要でシステムの維持・管理にコストがかかる。
【０００６】
【特許文献１】
特開平１０−１４９４００号公報
【特許文献２】
特開平１０−１６２２４３号公報
【０００７】
【発明が解決しようとする課題】
携帯端末等により振込・振替操作の一部を事前に行い、その操作データを現金自動預払機に送信し、現金自動預払機で振込・振替操作するための手段を、利用者の事前操作データを記憶するための特別なサーバーを立てることなく、提供すること。
【０００８】
【課題を解決するための手段】
上記目的を達成するため、本発明記載の現金自動預払機は、２次元バーコードリーダを備え、携帯端末等の画面に表示される入金・振込・振替など現金自動預払機の操作内容を符号化した２次元バーコードを、前記２次元バーコードリーダを用いて読み取り、入金・振込・振替処理を行う。
【０００９】
情報量を増やす為、現金自動預払機の操作内容を複数個の２次元バーコードで符号化し、携帯端末の画面に連続表示させ、前記現金自動預払機で読み取らせてもよい。
【００１０】
また、利用者が前記現金自動預払機の２次元バーコードリーダ部の正しい位置に、携帯端末をセットしているか確認するため、２次元バーコードリーダで画像を撮影し、撮影した画像を前記現金自動預払機の画面に表示させ、操作性を向上させてもよい。
【００１１】
【発明の実施の形態】
本発明の実施の形態を図面にしたがって説明する。なお、説明は例示のためであり、権利を限定するものではない。
【００１２】
図１に２次元バーコードリーダ付き現金自動預払機の外観を示す。
【００１３】
現金自動預払機（１０１）は、２次元バーコードリーダ（１０２）を具備しており、利用者が携帯端末（１０３）をセット位置（１０４）に置くことで、事前操作データが携帯端末（１０３）から現金自動預払機（１０１）へ送信される様になっている。なお、２次元バーコードリーダは、図７のように携帯端末画面を下に向けた状態で読み取るように実装しても構わない。
【００１４】
実施例として、振込操作時の手順について述べる。
【００１５】
現金自動預払機で振込操作する前に、利用者は、携帯端末（１０３）を用いて振込先や振込金額を事前入力する。携帯端末を用いた事前入力の詳細を、図２・図３を用いて説明する。
【００１６】
最初、携帯端末には、取引メニュー画面が表示される（２０１，  ３０１）。ここで、利用者は１を入力し振込みを選択する。すると振込先の口座番号を入力する画面が表示される（２０２，３０２）。利用者は、振込先の▲１▼金融機関番号、▲２▼支店番号、▲３▼科目、▲４▼口座番号を入力する。画面例（３０２）では、▲１▼〜▲４▼の間を詰めて入力しているが、空白文字で区切ってもよい。入力が修了すると、携帯端末の通信機能等を利用してホスト接続し、入力された▲１▼〜▲４▼の値から金融機関名、支店名、科目名、口座番号および口座名義人名称の各データを取得し、携帯端末の画面に表示する（２０６，３０４）。利用者は、携帯端末の画面に表示された振込先に誤りがないことを確認する。振込先に誤りがない場合には、振込金額を入力する（２０８，３０５）。
【００１７】
振込金額を入力し、問題がなければ、事前操作を修了し、携帯端末のメモリに振込データが登録される。
【００１８】
事前操作を行った後、利用者は、現金自動預払機へ出向き、実際の振込・振替操作を行う。
【００１９】
図４に現金自動預払機の振込画面表示例を示す。最初、現金自動預払機にメニュー画面（４０１）が表示されている。この画面で、利用者は「バーコード入力」ボタン（４１１）を押下する。すると、携帯端末に２次元バーコードを表示し、現金自動預払機にセットするよう促す画面（４０２）が表示される。この画面（４０２）には、バーコードのセット状況を確認するためのモニター表示（４３１）があり、セット状況を確認できるようになっている。利用者は、携帯端末のメニュー画面から登録データ一覧を選択し（２１１，５０１）、あらかじめ登録しておいた振込先から所望のものを選択し（２１２，５０２）、内容に誤りがないことを確認した上で（２１３，５０３）、２次元バーコードを携帯端末に表示させ（２１５，５０４）、現金自動預払機の確認ボタン（４２１）を押下する。
【００２０】
２次元バーコードを表示させた携帯端末が現金自動預払機にセットされると、これをリーダ（１０２）が検出し、自動的に２次元バーコードが読み取られる。
【００２１】
次に、読み取られた振込データが現金自動預払機の画面に表示される（４０３）。ここ表示された内容に問題がなければ、確認ボタン（４３１）を押下する。以後、通常の手順で振り込みを実施する。
【００２２】
なお、携帯端末の解像度、２次元バーコードリーダのエラー訂正レベル等により、操作データが２次元バーコード１枚に収納できない場合がある。このような場合、図６に示すように、複数枚の２次元バーコードで操作内容を表現し、それらを連続表示することで携帯端末からＡＴＭへ送信する。
【００２３】
【発明の効果】
本発明によれば、振込・振替データを目前のＡＴＭに直接送信できるため、どのＡＴＭへ送信するか携帯端末から指示することなく、振込・振替データを記録するための特別なサーバーを経由することなく、直接所望のＡＴＭへ操作データを送信することができる。
【００２４】
また、ＡＴＭを使った振込操作時間を短縮できることから、繁忙時期の待ち行列解消に役立つ。
【図面の簡単な説明】
【図１】現金自動預払機。
【図２】携帯端末の事前操作フロー。
【図３】携帯端末の振込先登録画面。
【図４】現金自動預の振込操作画面。
【図５】携帯端末の登録データ選択画面。
【図６】分割送信の例。
【図７】固定焦点の２次元バーコードリーダ。
【符号の説明】
１０１…現金自動預払機、１０２…２次元バーコードリーダ、１０３…携帯端末、１０４…携帯端末セット位置、２０１…  メニュー選択処理、２０２…  振込先入力画面、２０３…金融機関番号・支店番号・科目番号・口座番号入力（利用者入力）、２０４…金融機関・支店名称、口座名義人取得処理、２０５…口座有無チェック処理、２０６…振込先情報表示、２０７…振込先確認処理、２０８…振込金額入力処理（利用者入力）、２０９…携帯端末メモリへの登録処理、２１１…登録データ一覧表示処理、２１２…振込先選択処理、２１３…振込情報表示処理、２１４…振込内容確認処理、２１５…２次元バーコード表示処理、３０１…携帯端末のメニュー選択画面、３０２…振込先入力画面、３０３…金融機関・支店名称、口座名義人取得待ち画面、３０４…振込先確認画面、３０５…振込金額入力画面、４０１…現金自動預払機のメニュー画面、４０２…２次元バーコードセット待ち画面、４０３…振込内容確認画面、４１１…バーコード入力選択ボタン、４２１…２次元バーコードセット状況確認窓、４３１…振込内容確認ボタン、４３２…振込人名（携帯端末に事前登録されている）、４３３…振込人の電話番号（携帯端末に事前登録されている）、５０１…携帯端末のメニュー選択画面、５０２…登録データ一覧表示画面、５０３…振込内容確認画面、５０４…２次元バーコード表示画面、６０１…シーケンス番号００１の２次元バーコード、６０２…シーケンス番号００２の２次元バーコード、６０３…シーケンス番号００３の２次元バーコード。
【図１】
2004164352.tif 000003
【図２】
2004164352.tif 000004
【図３】
2004164352.tif 000005
【図４】
2004164352.tif 000006
【図５】
2004164352.tif 000007
【図６】
2004164352.tif 000008
【図７】
2004164352.tif 000009